(57)【特許請求の範囲】
【請求項１】
データ端末機に接続される接続部と、
無線通信網との間でデータを送受信する送受信部と、
前記無線通信網を通じて接続可能なネットワークに接続するための接続情報を含む複数のプロファイルが格納されたメモリ部と、
前記複数のプロファイルのうちのいずれか一つをデフォルト設定するためのデフォルト指令が入力される入力部と、
前記接続部に接続されているデータ端末機が前記送受信部を介して前記ネットワークに接続しようとするときに、前記デフォルト指令によってデフォルト設定されたデフォルトプロファイルの接続情報を使用させるように制御する制御部と、
を含んで構成され、
前記制御部は、起動の際に前記デフォルトプロファイルがないときは、前記複数のプロファイルのうちのいずれか一つをデフォルト設定するように要求することを特徴とする移動通信端末機。
【請求項２】
前記入力部には、さらに複数のプロファイルのうちのいずれか一つを選択するための選択指令が入力され、
前記選択指令が入力された場合、前記制御部は、前記接続部に接続されているデータ端末機が前記送受信部を介して前記ネットワークに接続しようとするときに、前記選択指令によって選択されたプロファイルの接続情報を使用させるように制御することを特徴とする請求項１に記載の移動通信端末機。
【請求項３】
前記入力部には、さらに前記プロファイルの内容を変更するための変更指令が入力され、
前記変更指令が入力された場合、前記制御部は、前記接続部に接続されているデータ端末機が前記送受信部を介して前記ネットワークに接続しようとするときに、前記変更指令によって内容が変更されたプロファイルの接続情報を使用させるように制御することを特徴とする請求項１に記載の移動通信端末機。
【請求項４】
前記入力部には、さらに前記デフォルトプロファイルの内容を変更するための変更指令が入力され、
前記制御部は、前記接続部に接続されているデータ端末機が前記送受信部を介して前記ネットワークに接続しようとするときに、前記変更指令によって内容が変更されたデフォルトプロファイルの接続情報を使用させるように制御することを特徴とする請求項１に記載の移動通信端末機。
【請求項５】
前記制御部は、前記接続部に接続されているデータ端末機が前記デフォルトプロファイルの接続情報を使用して前記ネットワークに接続できなかった場合には、他のいずれかのプロファイルの接続情報を使用させるように制御することを特徴とする請求項１に記載の移動通信端末機。
【請求項６】
前記プロファイルに含まれる接続情報は、国家情報、ネットワーク事業者情報及びコールタイプ情報のうちの少なくとも一つを含むことを特徴とする請求項１〜５のいずれか一つに記載の移動通信端末機。
【請求項７】
前記入力部には、さらにリセット指令が入力され、
前記制御部は、前記入力部を介してリセット指令が入力されると、前記内容が変更されたプロファイルを元の状態に戻し、又は前記デフォルトプロファイルを最初にデフォルト設定された初期デフォルトプロファイルに戻すことを特徴とする請求項３又は４に記載の移動通信端末機。
【請求項８】
前記接続部は、前記データ端末機と無線接続されることを特徴とする請求項１〜７のいずれか一つに記載の移動通信端末機。
【発明の詳細な説明】
【技術分野】
【０００１】
本発明は、データ端末機がネットワークに接続する際に利用される移動通信端末機に関する。
【背景技術】
【０００２】
移動通信端末機は、ブラウザーやメールソフトなどのアプリケーションプログラムを実行することで所定のネットワーク（メールサーバを含む）に接続し、所望のデータ等を取得することができる。一方、パソコン等のデータ端末機は、移動通信端末機を利用して所定のネットワークに接続（ダイヤルアップ接続）し、所望のデータ等を取得することができる。
【発明の開示】
【発明が解決しようとする課題】
【０００３】
ところで、端末機が特定のネットワークに接続するためには、接続情報が必要となる。現在、ブラウザーやメールソフトなどのアプリケーションプログラムを実行する場合の接続情報は移動通信端末機側で管理されているが、データ端末機が移動通信端末機を利用してネットワーク接続を行う場合の接続情報を含むプロファイルは移動通信端末機側で管理されていない。
【０００４】
このため、データ端末機が移動通信端末機を利用してネットワーク接続を行う場合には、データ端末機に接続情報を含むプロファイルが格納されている必要があり、このような接続情報を含むプロファイルが格納されていないデータ端末機では、移動通信端末機を利用してのネットワーク接続を行うことができなかった。
【０００５】
本発明は、このような課題に着目してなされたものであり、その目的は、ネットワークに接続するための接続情報が格納されていないデータ端末機であっても、該データ端末機に接続することで、該データ端末機がネットワーク接続できるようにする移動通信端末機を提供することにある。
【課題を解決するための手段】
【０００６】
上記の目的を達成するため、本発明に係る移動通信端末機は、データ端末機に接続される接続部と、無線通信網との間でデータを送受信する送受信部と、前記無線通信網を通じて接続可能なネットワークに接続するための接続情報を含む複数のプロファイルが格納されたメモリ部と、前記複数のプロファイルのうちのいずれか一つをデフォルト設定するためのデフォルト指令が入力される入力部と、前記接続部に接続されているデータ端末機が前記送受信部を介して前記ネットワークに接続しようとするときに、前記デフォルト指令によってデフォルト設定されたデフォルトプロファイルの接続情報を使用させるように制御する制御部と、を含んで構成され、前記制御部は、起動の際に前記デフォルトプロファイルがないときは、前記複数のプロファイルのうちのいずれか一つをデフォルト設定するように要求する。
【０００８】
また、前記入力部には、さらに複数のプロファイルのうちのいずれか一つを選択するための選択指令が入力され得る。この場合、制御部は、前記接続部に接続されているデータ端末機が前記送受信部を介して前記ネットワークに接続しようとするときに、前記選択指令によって選択されたプロファイルの接続情報を使用させるように制御することができる。
【０００９】
また、前記入力部には、さらに前記プロファイルの内容を変更するための変更指令が入力され得る。この場合、制御部は、前記接続部に接続されているデータ端末機が前記送受信部を介して前記ネットワークに接続しようとするときに、前記変更指令によって内容が変更されたプロファイルの接続情報を使用させるように制御することができる。
【００１１】
ここで、前記入力部には、前記デフォルトプロファイルの内容を変更するための変更指令を入力可能である。この場合、制御部は、前記接続部に接続されているデータ端末機が前記送受信部を介して前記ネットワークに接続しようとするときに、前記変更指令によって内容が変更されたデフォルトプロファイルの接続情報を使用させるように制御することができる。
【００１２】
また、制御部は、前記接続部に接続されているデータ端末機が前記デフォルトプロファイルを使用して前記ネットワークに接続できなかった場合には、他のいずれかのプロファイルの接続情報を順次使用させるように制御することができる。
【００１３】
ここで、プロファイルに含まれる接続情報は、国家、ネットワーク事業者及びコールタイプに関する情報のうちの少なくとも一つを含むことができる。
【００１５】
また、入力部には、リセット指令を入力することも可能である。この場合、制御部は、前記内容が変更されたプロファイルを元の状態に戻すか、又は、前記デフォルトプロファイルを最初にデフォルト設定された初期デフォルトプロファイルに戻すことができる。
【００１６】
また、前記接続部は、前記データ端末機と無線接続することができる。もちろん、有線接続であってもよい。
【００１７】
また、制御部は、前記国家、前記ネットワーク事業者及び前記コールタイプに関する情報のうちの少なくとも一つに基づいて前記使用させる接続情報（プロファイル）を選択することができる。
【発明の効果】
【００１８】
本発明に係る移動通信端末機を、所定のネットワークに接続するための接続情報（ダイヤルアップ接続のための接続情報）が格納されていないデータ端末機に接続することにより、このようなデータ端末機が無線通信網を通じて所定のネットワークに接続することができるようになる、という効果を奏する。
【発明を実施するための最良の形態】
【００１９】
以下、添付図面を参照して、本発明の一実施形態に係る移動通信端末機を詳細に説明する。
【００２０】
図１は、本発明の一実施形態に係る移動通信端末機を利用したデータ端末機のネットワーク接続（ダイヤルアップ接続）のシステム構成図である。
【００２１】
図１に示すように、移動通信端末機を利用してデータ端末機がネットワーク接続を行うためのシステムは、データ端末機１００と、移動通信端末機２００と、所定のネットワークに接続可能な無線通信網３００を含んで構成される。ここで、データ端末機１００は、移動通信端末機２００と有線又は無線で接続されて、この移動通信端末機２００を利用して無線通信網３００を介したネットワーク接続（ダイヤルアップ接続）が可能である。
【００２２】
データ端末機１００には、移動通信端末機２００が有線又は無線で接続され、この接続された移動通信端末機２００を利用することで、無線通信網３００を通じて所定のネットワークに接続し、データ等をやり取りすることが可能となる。なお、データ端末機１００としては、主に各種コンピュータやＰＤＡが該当するが、これらに限られず、いかなる種類の端末機でもよい。
【００２３】
移動通信端末機２００は、データ端末機１００に接続され、該データ端末機１００に所定のネットワークへの接続（すなわち、ダイヤルアップ接続）サービスを提供する。ここで、上記したように、移動通信端末機２００とデータ端末機１００とは、有線又は無線で接続される。例えば、移動通信端末機２００は、データ端末機１００とシリアルポートやＵＳＢポートを利用して有線で接続されているか、ブルートゥース（Bluetooth）、赤外線通信又はジグビー（ZigBee）のような近距離無線通信手段で接続されている。
【００２４】
移動通信端末機２００は、データ端末機１００が、無線通信網３００を通じて接続可能なネットワークに接続するために必要な接続情報を含むプロファイル２０５を格納している。このプロファイル２０５は、移動通信端末機２００を利用してデータ端末機１００が無線通信網３００を介して所定のネットワークに接続するためのプロトコル及び手続きを定義している。このプロファイル２０５に含まれた情報、特に、接続情報については後述する（図５、図６参照）。
【００２５】
移動通信端末機２００としては、セルラーフォン、ＰＣＳ（Personal Communication Service）フォン、ＧＳＭ（Global System for Mobile）フォン、Ｗ−ＣＤＭＡ（Wideband ＣＤＭＡ）フォン、ＣＤＭＡ−２０００フォン、ＭＢＳ（Mobile Broadband System）フォン、ＩＭＴ−２０００フォン、ＰＤＡ（Personal Digital Assistant）などが該当するが、これらに限られず、現在に存在するか又は将来に開発されるいかなる種類の移動通信端末機をも含む。
【００２６】
無線通信網３００は、移動通信端末機２００と無線で接続される。無線通信網３００は、移動通信端末機２００が音声通話やデータ通信など移動通信サービスを行うのに必要な制御機能及び中継機能などを提供する。特に、無線通信網３００は、データ端末機１００が移動通信端末機２００に格納されたプロファイル２０５を使用して接続するネットワークに接続（連結）されている。ここで、かかるネットワークは、例えば、ＧＰＲＳやＰＳＴＮ（Public Switched Telephony Network）のようなデジタルネットワーク（digital mobile network）であり得る。
【００２７】
図２は、本発明の一実施形態に係る移動通信端末機の構成図である。
【００２８】
図２に示すように、移動通信端末機２００は、メモリ部２１０、接続部２２０、入力部２３０、送受信部２４０及び制御部２５０を含んで構成される。
【００２９】
メモリ部２１０には、各種データ及び移動通信端末機２００を駆動するための各種プログラムが格納されている。また、メモリ部２１０には、データ端末機１００が無線通信網３００を通じて所定のネットワークに接続するために必要な接続情報を含むプロファイル２０５が格納されている。
【００３０】
図３は、メモリ部２１０に格納されているプロファイルの一例を示している。
【００３１】
図３に示すように、メモリ部２１０に格納されるプロファイル２０５は、ダイヤルアップ接続プロファイル（Dial-up Networking profile）である。このダイヤルアップ接続プロファイル２０５は、ファックスプロファイル（Fax profile）、ハンドセットプロファイル（Handset profile）、ＬＡＮアクセスプロファイル（LAN Access profile）のような他のプロファイルの一部を再使用又は利用することもできる。
【００３２】
ここで、メモリ部２１０に格納されるプロファイル２０５は、一つだけでもよいし、複数であってもよい。プロファイル２０５が一つしか格納されていない場合には、そのプロファイル２０５の内容を変更して使用することができる。また、プロファイル２０５が複数格納されている場合には、そのうちの一つをデフォルト設定し、まず、このデフォルト設定されたプロファイルを使用するようにし、所望のネットワークに接続できなかったとき、すなわち、ダイヤルアップ接続に失敗したときには、他のプロファイルを順次選択してダイヤルアップ接続に使用することができる。また、全てのプロファイルを使用してもダイヤルアップ接続が成功しないときは、いずれかのプロファイルの内容を変更して使用することもできる。
【００３３】
プロファイル２０５は、デフォルト設定の有無を含む「valid flag」、パケットデータプロトコルタイプ（PDP type）、パケットデータネットワークに使用されるアドレス（PDP IP）、ダイヤルアップ接続サービスに要求される要求ＱｏＳ（Request QoS）、ダイヤルアップ接続サービスに最小限要求される最小ＱｏＳ（Minimum Qos）、認証情報（Authentication information）などを含む。
【００３４】
また、プロファイル２０５は、図示しない国家コード（country code）、ネットワーク事業者（network provider）、コールタイプ（call type）などに関する情報を含むこともできる。これらの情報は、移動通信端末機２００が自動的に国家、ネットワーク事業者及び／又はコールタイプなどを検索してプロファイルを選択するのに使用されることもできる。すなわち、移動通信端末機２００が、国家、ネットワーク事業者及びコールタイプに関する情報のうちの少なくも一つに基づいてプロファイルを自動的に選択するようにすることも可能である。
【００３５】
ここで、プロファイル２０５の「valid flag」が「True」に設定されると、当該プロファイル２０５がデフォルトでダイヤルアップ接続に使用されるデフォルトプロファイルとなる。もちろん、他のプロファイル２０５の「valid flag」が「True」に設定されると、当該他のプロファイル２０５がデフォルトプロファイルとなる。
【００３６】
また、メモリ部２０５は、あらかじめ設定されているか又は最初にデフォルト設定されたプロファイルである初期デフォルトプロファイルを格納しており、リセット要求があると、他のプロファイルがデフォルト設定されていたとしても、デフォルトプロファイルを初期デフォルトプロファイルに戻すことができる。このようなリセット処理は、プロファイルにいかなる変更が加えられた場合にも行うことができる。
【００３７】
図２に戻って、接続部２２０は、データ端末機１００に接続される接続手段である。この接続部２２０は、有線又は無線による接続手段であり得る。例えば、有線接続の場合、接続部２２０は、シリアル通信手段又はＵＳＢのようなパラレル通信手段であり得る。また、有線接続の場合、接続部２２０は、特別な設定をしなくても接続すれば直ちに使用することができるプラグアンドプレー（Plug & Play）機能又は再起動なしに使用することができるホットプラギング（Hot Pluging）機能を備えた接続手段であり得る。さらに、有線接続の場合、接続部２２０は、データ端末機１００と移動通信端末機２００との間でデータをやり取りする通路としての役割を果たす。
【００３８】
一方、無線接続の場合、接続部２２０は、ブルートゥースや赤外線通信など近距離通信手段であり得る。この場合においてもデータ端末機１００と移動通信端末機２００との間でデータのやり取りが行えることは当然である。
【００３９】
入力部２３０は、複数の数字、文字、記号などからなるキーパッドやタッチパッド、
各種サイドキー、メニューキー、方向キーなどのキー入力手段、又は／及び、音声認識の可能な音声認識装置であり得る。入力部２３０は、移動通信端末機２００の各種設定や利用に必要な情報が入力され、所定の入力信号を発生する。
【００４０】
例えば、入力部２３０は、複数のプロファイル２０５を有する場合に、そのうちのいずれか一つを選択するための選択指令を入力するために使用される。また、入力部２３０は、プロファイル２０５の内容を変更するための変更指令を入力するために使用されることもできる。さらに、入力部２３０は、いずれかのプロファイル２０５をデフォルト設定してデフォルトプロファイルとするためのデフォルト設定指令やデフォルトプロファイルを初期デフォルトプロファイルに戻すためのリセット指令を入力するために使用されることもできる。
【００４１】
送受信部２４０は、後述する制御部２５０に制御によって無線通信網３００との間で通信を行う。また、送受信部２４０は、無線通信網３００を介して、該無線通信網３００に接続されたネットワークとの間でデータを送受信する。より具体的には、ネットワークから送受信部２４０を介して移動通信端末機２００に受信されたデータは、接続部２２０を介してデータ端末機１００に伝達される。逆に、データ端末機１００から接続部２２０を介して移動通信端末機２００に伝達されたデータは、送受信部２４０を介して無線通信網３００（さらにはネットワーク）に送信される。
【００４２】
なお、送受信部２４０は、制御部２５０からの指令に応じてメモリ部２１０に格納されているプロファイル２０５を送信し、無線通信網３００を介して、該無線通信網３００に接続されたネットワークへの接続を可能とする。
【００４３】
制御部２５０は、移動通信端末機２００の全体的な制御を行う。特に、制御部２５０は、メモリ部２１０に格納されているプロファイルを使用して、接続部２２０に接続されているデータ端末機１００が、送受信部２４０を介して、無線通信網３００に接続されたネットワークに接続しようとするときに（ダイヤルアップ接続を行おうとするときに）、そのために必要な制御を行う。
【００４４】
具体的には、制御部２５０は、接続部２２０に接続されているデータ端末機１００が送受信部２４０を介して無線通信網３００に接続されたネットワークに接続しようとするときに、メモリ部２１０に格納されているプロファイル２５０（特に、接続情報）を使用させるように制御する。例えば、データ端末機１００が所定のネットワークに接続しようと、その旨の信号が接続部２２０を介して移動通信端末機２００に入力される。制御部２５０は、この信号の入力を受けて、当該所定のネットワークのアクセスポイント等に電話接続を行うと共に、メモリ部２１０に格納されているプロファイルの接続情報を送信する（すなわち、ネットワークへの接続に使用させる）。これにより、データ端末機１００は、これに接続された移動通信端末機２００が格納する接続情報（プロファイル）を用いてネットワークへの接続を行うことになる。
【００４５】
ここで、メモリ部２１０に複数のプロファイルが格納されている場合には、制御部２５０は、複数のプロファイルのうちのいずれか一つに含まれる接続情報を使用させるように制御する。この場合において、入力部２３０から選択指令が入力されたときは、この選択指令によって選択されたプロファイルに含まれる接続情報を使用させるように制御し、入力部２３０から変更指令が入力されたときは、この変更指令によって内容が変更されたプロファイルに含まれた接続情報を使用させるように制御する。これにより、データ端末機１００は、自己が接続情報を有するか否かにかかわらず、メモリ部２１０に格納されているプロファイル２０５に含まれる接続情報を使用してネットワークへの接続を試みることになる。
【００４６】
また、制御部２５０は、複数のプロファイルのうちのいずれかがデフォルト設定されている場合、すなわち、デフォルトプロファイルがある場合には、データ端末機１００のネットワークへの接続に際し、該デフォルトプロファイルを使用させるように制御する。この場合、データ端末機１００は、まずデフォルトプロファイルに含まれる接続情報を使用して所定のネットワークへの接続を試みることになる。さらに、制御部２５０は、内容が変更設定されたプロファイル（デフォルトプロファイルを含む）を使用させるように制御することも可能である。この場合、データ端末機１００は、内容が変更されたプロファイルに含まれる接続情報を使用してネットワークへの接続を試みることになる。
【００４７】
また、制御部２５０は、データ端末機１００がデフォルトプロファイルに含まれる接続情報を使用してネットワークへの接続を試みた結果、ネットワークに接続できなかった（ダイヤルアップ接続に失敗した）場合には、他のプロファイルに含まれる接続情報を使用させるように制御する。この場合、ネットワークに接続できるまで（ダイヤルアップ接続が成功するまで）、他のプロファイルを順次選択してネットワークへの接続を試みるようにすることも可能である。
【００４８】
また、制御部２５０は、複数のプロファイルがメモリ部２１０に格納されている場合において、起動の際に、いずれかのプロファイルがデフォルト設定されていないと、すなわち、デフォルトプロファイルが存在しないと、いずれかのプロファイルをデフォルト設定するように要求（通知）することも可能である。この場合には、例えば、当該要求（通知）が表示部（図示省略）に表示される。
【００４９】
また、制御部２５０は、入力部２３０からリセット指令が入力されると、内容が変更されたプロファイル２０５を元の状態に戻すか、あるいは、デフォルトプロファイルを初期デフォルトプロファイルに戻すことができる。
【００５０】
さらに、制御部２５０は、プロファイル２０５の国家、ネットワーク事業者及びコールタイプに関する情報のうちの少なくとも一つに基づいて、データ端末機１００に使用させる接続情報（プロファイル）を自動的に選択することもできる。
【００５１】
図４は、移動通信端末機の起動の際に、複数のプロファイルの中から一つをデフォルト設定する（デフォルトプロファイルとする）フローチャートである。
【００５２】
図４に示すように、電源がＯＮされると（Ｓ１０）、移動通信端末機２００は起動する（Ｓ２０）。移動通信端末機２００が起動すると、制御部２５０は、デフォルトプロファイルが存在するか否かを判断する（Ｓ３０）。なお、移動通信端末機２００の電源がＯＮされた場合（Ｓ１０）に代えて、移動通信端末機２００がデータ端末機１００に接続された場合にデフォルトプルファイルが存在するか否かを判断するようにしてもよい。
【００５３】
デフォルトプロファイルが存在すれば、本フローを終了し、通常の起動処理を行う。
【００５４】
一方、デフォルトプロファイルが存在しなければ、メモリ部２１０に格納されている複数のプロファイルの中からいずれか一つをデフォルト設定する（Ｓ４０）。この場合、基本的には、いずれかのプロファイルをデフォルト設定するように要求する。この要求に応じて、ユーザーが格納されているプロファイルの中から一つを選択し、選択したプロファイルの「valid flag」を「True」に設定することで、この選択したプロファイルがデフォルト設定される。もちろん、ユーザーが選択するのではなく、所定の規則に則って制御部２５０がいずれかのプロファイルを自動的に選択してデフォルト設定するようにしてもよい。この場合、上述したように、各プロファイルに含まれる接続情報の国家情報、ネットワーク事業者情報及びコールタイプ情報などの情報のうちの少なくとも一つが考慮される。そして、このようにしてデフォルト設定されたプロファイルは、デフォルトプロファイルとしてメモリ部２１０に格納される（Ｓ５０）。なお、上述したように、このデフォルトプロファイルの内容は入力部２３０からの変更指令によって変更され得る。
【００５５】
また、入力部２３０からのリセット指令により、デフォルトプロファイルを、最初にデフォルト設定された初期デフォルトプロファイルに戻すこともできる。例えば、一時的に他国を訪問して、その国の無線通信網を通じてネットワーク接続を行うために、所定のプロファイルをデフォルト設定し、又は内容を変更したような場合であっても、帰国後にリセット指令を入力することにより、デフォルトプロファイルを、初期デフォルトプロファイルに戻し、又は変更した内容を元の状態に戻すことができる。なお、これらの他のリセット処理もあるが、それらについての説明は省略する
【００５６】
図５は、接続された移動通信端末機のプロファイルを用いてデータ端末機がネットワークへの接続を行う（ダイヤルアップ接続を行う）フローチャートである。
【００５７】
図５に示すように、移動通信端末機２００は、接続部２２０に接続されているデータ端末機１００が送受信部２４０を介して無線通信網３００に接続されたネットワークに接続しようとすると、メモリ部２１０に格納されたプロファイルの接続情報を使用させる。この結果、データ端末機１００は、移動通信端末機２００のメモリ部２１０に格納されているプロファイルの接続情報を使用してネックワークへの接続（ダイヤルアップ接続）を試みる（Ｓ１００）。
【００５８】
次に、データ端末機１００がネットワークに接続されたか否かを判断する（Ｓ１１０）。データ端末機１００がネットワークに接続されれば、移動通信端末機２００は、そのままネットワークへの接続を維持するように制御する（Ｓ１２０）。
【００５９】
一方、データ端末機１００がネットワークに接続されなければ、移動通信端末機２００は、他のプロファイルに含まれる接続情報を使用させる。この結果、データ端末機１００は、他のプロファイルに含まれる接続情報を使用して再度ネックワークへの接続を試みるか否かを判断する（Ｓ１３０）。
【００６０】
他のプロファイルに含まれる接続情報を使用してネットワークへの接続を試みる場合には、Ｓ１００に戻り、再度ネットワークへの接続を試みて、データ端末機１００がネットワークに接続されたか否かを判断する（Ｓ１２０）。一方、他のプロファイルに含まれる接続情報を使用してネットワークへの接続を試みない場合には、本フローを終了する。
【００６１】
接続されているデータ端末機１００がネットワークへの接続を試みるときに、移動通信端末機２００が使用させるプロファイル（接続情報）は自動的に又は選択指令によって選択されたものであったり、内容が変更されたものであったりすることは上述した通りであり、また、選択したプロファイルを使用してのネットワークへの接続が失敗した場合には、他のプロファイルを順次選択して再度ネットワークへの接続を試みる。
【００６２】
本発明は、上記の実施形態に限定されるものではなく、本発明に係る技術的思想から逸脱しない範囲内で様々な変更が可能であり、それらも本発明の技術的範囲に属する。
【図面の簡単な説明】
【００６３】
【図１】本発明の一実施形態に係る移動通信端末機を利用したデータ端末機のネットワーク接続（ダイヤルアップ接続）のシステム構成図である。
【図２】上記実施形態に係る移動通信端末機の構成図である。
【図３】上記実施形態に係る移動通信端末機のメモリ部に格納されるプロファイルの一例を示す図である。
【図４】上記実施形態に係る移動通信端末機の起動時に、複数のプロファイルのうちの一つをデフォルト設定するフローチャートである。
【図５】上記実施形態に係る移動通信端末機のプロファイルを使用してデータ端末機がネットワークに接続するフローチャートである。
【符号の説明】
【００６４】
１００：データ端末機
２００：移動通信端末機
２１０：メモリ部
２２０：接続部
２３０：入力部
２４０：送受信部
２５０：制御部
３００：無線通信網
【図１】
0005230090.tif 000002
【図２】
0005230090.tif 000003
【図３】
0005230090.tif 000004
【図４】
0005230090.tif 000005
【図５】
0005230090.tif 000006